(57)【要約】【課題】簡単な機構で持ち運びでき、所望の場所に設置しておくことが可能であり、押圧力が解除されるだけで所望の警報信号を発生することができるようにしたポータブル警報器を提供する。【解決手段】警報発生器と、該警報発生器に電気的に接続された押圧力解除検知器とを有し、該押圧力解除検知器にかけられていた押圧力が解除されると、警報発生器から所定の警報信号が発せられるようにした。また、該押圧力解除検知器を布製ベルトに着脱可能に取り付け、該布製ベルトを所望位置に着脱自在に装着することができるようにしてもよい。【選択図】  図１
2004164291.tif 000002
【特許請求の範囲】
【請求項１】
警報発生器と、該警報発生器に電気的に接続された押圧力解除検知器とを有し、該押圧力解除検知器にかけられていた押圧力が解除されると、警報発生器から所定の警報信号が発せられるようにしたことを特徴とするポータブル警報器。
【請求項２】
前記押圧力解除検知器を布製ベルトに着脱可能に取り付け、該布製ベルトを所望位置に着脱自在に装着することができるようにしたことを特徴とする請求項１記載のポータブル警報器。
【発明の詳細な説明】
【０００１】
【発明の属する技術分野】
本発明は、例えば、自動車の座席やベッドなどの所望の場所に持ち運んで設置し、必要に応じた警報信号を発生することができるようにしたポータブル警報器に関する。
【０００２】
【関連技術】
従来、自動車を運転する際によく起こることとして、ヘッドライトの消し忘れがある。夜間の走行後であれば自動車の前方が明るくなっているのでほとんどの場合はヘッドライトは消すこととなるが、最近昼間にトラック、タクシー等が安全上ヘッドライトを点灯しながら走ることが多くなったが、エンジン停止後も気がつかないことが多く、その場合は長時間の点灯によってバッテリーがあがってしまい運転者は多大の迷惑を蒙ることとなる。最近販売される新車ではヘッドライトを消し忘れた場合でもエンジンキーを外すと同時にヘッドライトも消えるようになっているのでヘッドライトの消し忘れによる不都合は解消されている。しかし、現在も走行している古いタイプの自動車やトラックではいまだヘッドライトの消し忘れによる上述したような不都合は頻繁に生じている。また、自動車のヘッドライトの消し忘れに限らず、日常生活でも物の置き忘れや取り忘れということは多々生じているところである。
【０００３】
【発明が解決しようとする課題】
本発明は、上述した問題点に鑑みてなされたもので、簡単な機構で持ち運びでき、所望の場所に設置しておくことが可能であり、押圧力が解除されるだけで所望の警報信号を発生することができるようにしたポータブル警報器を提供することを目的とする。
【０００４】
【課題を解決するための手段】
上記課題を解決するために、本発明のポータブル警報器は、警報発生器と、該警報発生器に電気的に接続された押圧力解除検知器とを有し、該押圧力解除検知器にかけられていた押圧力が解除されると、警報発生器から所定の警報信号が発せられるようにしたことを特徴とする。
【０００５】
上記押圧力解除検知器を布製ベルトに着脱可能に取り付け、該布製ベルトを所望位置に着脱自在に装着することができるようにすれば、自動車の運転者等が腰などに装着して用いることができ、好都合である。上記した布製ベルトの着脱手段としては平面ファスナーが好適である
【０００６】
【発明の実施の形態】
以下に本発明の実施の形態を添付図面に基づいて説明するが、図示例は例示的に示されたもので、本発明の技術思想から逸脱しない限り種々の変形が可能なことはいうまでもない。
【０００７】
図１は本発明ポータブル警報器の原理を示すブロックダイヤグラムである。図２は本発明のポータブル警報器の一つの実施の形態を示す斜視説明図である。図３は図２のポータブル警報機の圧力解除検知器をベルトに装着して使う場合の使用例を示す斜視図である。図４は図３の要部摘示斜視図で、圧力解除検知器をベルトから外した状態を示す。図５は図４の状態から圧力解除検知器をベルトに挿着した状態を示す要部摘示斜視図である。図６は本発明のポータブル警報器の使用態様の一例を示すフローチャートである。
【０００８】
図１〜図２において、１０は本発明に係るポータブル警報器で、警報発生器１２と、該警報発生器１２に接続手段１４を介して電気的に接続された押圧力解除検知器１６とを有している。該接続手段１４としては、コードや赤外線等を用いることができるが、図指例ではコードの場合を示した。
【０００９】
該警報発生器１２は、遅延回路（タイマー）１２ａ、音声認識回路１２ｂ、ボルテージレギュレータ１２ｃ、乾電池等の電源１２ｄ、メインスイッチ１２ｅを有している。該音声認識回路１２ｂにはスピーカＳ及びマイクＭが備えられており、マイクＭから音声を入力することによって該音声認識回路１２ｂに当該音声が録音され、外部からの命令信号によりスピーカＳから当該音声が発声されるように構成される。録音内容はマイクＭからの入力の都度更新されるようになっており、所望により別の音声に自在に切り替えることができるようになっている。
【００１０】
上述したように、該警報発生器１２は、外部から命令信号が与えられると警報を発するように構成されているもので、警報としては、人間の声、ブザー、音楽や振動等を発することができる。また、この警報発生器１２の内部に遅延回路（タイマー）１２ａを組み込むことにより、外部から与えられる信号に対する反応を所望によって遅くすることができる。例えば、警報発生器１２の側面に設けられた時間調節設定穴１３にドライバー等を差込み、右又は左に回すことにより警報発生の作動開始時間を１秒〜１０秒程度まで任意に遅延させることができる。
【００１１】
押圧力解除検知器１６は、スイッチ機構１６ａ（図１）を有し、押圧力がかかっている状態では、スイッチオフとなり、押圧力が解除されるとスイッチオンとなり、換言すれば、押圧力解除を検知して命令信号を発する機能を有している。具体的な構造としては、例えば図２に示したように、基板１６ｂ上に基端部を軸１６ｃを介して回動可能に取り付けかつ先端部が常時上方に付勢された付勢回動体１６ｄを所定距離だけ上方に回動できるようにした構成を用いることができる。
【００１２】
図２に示した具体的な構造例では、押圧力解除検知器１６を固着することなく所望位置に単に載置する構造とした場合を説明したが、図３〜図５に示すように、該押圧力解除検知器１６を適宜位置、例えば布製ベルト等に着脱自在に固着する構成を採用することもできる。
【００１３】
図３〜図５において、１８は布製ベルトであり、その両端部の表面及び裏面にはそれぞれ互いに係合する一対の平面ファスナー２０ａ，２０ｂが取り付けられており、互いに重ね合わせることによって固着するようになっている。図４に示されるように、該ベルト１８の中央部の表面には平面ファスナー２２ａが取り付けられているとともに該押圧力解除検知器１６の裏面には該平面ファスナー２２ａと係合する平面ファスナー２２ｂが取り付けられている。該平面ファスナー２２ａ及び２２ｂを係合させることによって、図３及び図５に示したように、ベルト１８の中央部に押圧力解除検知器１６を着脱自在に装着することができる。
【００１４】
上記の構成により、自動車の運転者に対する注意喚起機能を行わせる場合についての作用を図６のフローチャートとともに説明する。まず、自動車の座席の背もたれと腰の間に押圧力解除検知器１６を挟み込むように座り、押圧力解除検知器１６の内部のスイッチ機構１６ａが「カチッ」と音がするまで背中で加圧する（ステップ１００）。
【００１５】
次に、警報発生器１２のメインスイッチ１２ｅをオンにする（ステップ１０２）。これによって本発明のポータブル警報器１０のセットが完了する。
【００１６】
自動車の運転中においては背もたれから押圧力解除検知器１６が離れても内蔵タイマー１２ａにより警報発生器１２がすぐには作動しないように調節することができる。例えば、警報発生器１２の側面に設けた時間設定調節穴１３にドライバー等を差込み、右又は左に回すことにより作動開始時間を１秒〜１０秒まで任意に遅延させることができる。
【００１７】
降車などで座席から離れると押圧力解除検知器１６がオンとなりタイマー設定時間が経過すると、例えば「ライトの消し忘れ、ブレーキのかけ忘れ、キィの抜き忘れに注意しましょう。」と音声で注意を促す（ステップ１０４）。
【００１８】
警報発生器１２のメインスイッチ１２ｅをオフにすると電源１２ｄが切れ音声は止まる（ステップ１０６）。この警報発生器１２からの音声はメインスイッチ１２ｅをオフにするまで繰り返し発せられる。
【００１９】
上記の例では、自動車の運転者への注意喚起機能を本発明のポータブル警報器にもたせた場合を説明したが、その他次のような種々の機能を持たせることも可能である。
【００２０】
▲１▼病院に入院中にベッドから離れて電話をかけたり売店に買い物に行く場合はよくあるが、テレホンカードや小銭を忘れてベッドから離れてしまうことが多い。そのような場合に、本発明のポータブル警報器によって「テレホンカードを忘れないようにしましょう」とか「小銭を忘れないようにしましょう」などという音声が発生するようにすることもできる。
▲２▼介護老人や子供のベッドからの転落（ブザー音によって周囲の人に知らせる）。
▲３▼残業後退社する際の電灯消し忘れ防止（音声：「電灯の消し忘れに注意しましょう」）。
▲４▼残業後退社する際のエアコン消し忘れ防止（音声：「エアコンの消し忘れに注意しましょう」）。
▲５▼うつぶせ寝の防止（ブザー音によって周囲の人に知らせる）。
【００２１】
【発明の効果】
上述したごとく、本発明のポータブル警報器によれば、簡便かつ安価で持ち運びでき、所望の場所に設置しておくことが可能であり、押圧力が解除されるだけで所望の警報を発生することができ、種々の用途に使用できるという大きな効果が達成される。
【図面の簡単な説明】
【図１】本発明ポータブル警報器の原理図である。
【図２】本発明のポータブル警報器の具体的構造例を示す斜視説明図である。
【図３】図２のポータブル警報機の圧力解除検知器をベルトに装着して使う場合の使用例を示す斜視図である。
【図４】図３の要部摘示斜視図で、圧力解除検知器をベルトから外した状態を示す。
【図５】図４の状態から圧力解除検知器をベルトに挿着した状態を示す要部摘示斜視図である。
【図６】本発明のポータブル警報器の使用態様の一例を示すフローチャートである。
【符号の説明】
１０：ポータブル警報器、１２：警報発生器、１２ａ：内蔵タイマー、１２ｂ：音声認識用語、１２ｃ：ボルテージレギュレータ、１２ｄ：電源、１２ｅ：メインスイッチ、１３：時間設定調節穴、１４：コード、１６：押圧力解除検知器、１６ａ：スイッチ機構、１６ｂ：基板、１６ｃ：軸、１６ｄ：付勢回動体、１８：布製ベルト、２０ａ，２０ｂ，２２ａ，２２ｂ：平面ファスナー、Ｍ：マイク、Ｓ：スピーカ。
【図１】
2004164291.tif 000003
【図２】
2004164291.tif 000004
【図３】
2004164291.tif 000005
【図４】
2004164291.tif 000006
【図５】
2004164291.tif 000007
【図６】
2004164291.tif 000008